(57)【要約】【課題】  灯器の方向性の調整後においても灯器の方向性の調整が容易に行えしかも灯器を適切に固定できる埋込型標識灯を提供することである。【解決手段】  基台１２は、地中に埋め込まれて設置される灯器１３を、基台１２のフランジ部１５に搭載して灯器１３の埋設部を収納する。灯器１３の水平角度を調整するための可動部材１６は、基台１２のフランジ部１５の下部に配置され、締結部材１７により、基台１２のフランジ部１６及び灯器１３と共締めして取り付けられる。これにより、可動部材１６は灯器１３とともに基台１２に強固に固着され、灯器１３の取り外しとともに取り外すことができる。従って、灯器１３の方向性の調整ミスが発生した場合であっても、後処理で対応が可能となる。【選択図】  図１
2005256551.tif 000002
【特許請求の範囲】
【請求項１】
地中に埋め込まれて設置される灯器と；
前記灯器の埋設部を収納する空間及び前記灯器を搭載できるフランジ部を有した基台と；
前記基台のフランジ部の下部に取り付けられ前記灯器の水平角度を調整するための可動部材と；
前記可動部材を前記基台のフランジ部及び前記灯器と共締めする締結部材と；
を具備していることを特徴とする埋込型標識灯。
【請求項２】
前記可動部材は、前記基台のフランジ部とほぼ同じ大きさの円環を分割した円弧状部材、または前記基台のフランジ部の円周に多角形状に当接し橋絡する棒状部材であることを特徴とする請求項１記載の埋込型標識灯。
【請求項３】
前記可動部材は、前記基台のフランジ部とほぼ同じ大きさの円環状に弾力性を有する部材で形成され前記円環状の一部に前記基台のフランジ部の厚さより大きい段差の切込部を有したことを特徴とする請求項１記載の埋込型標識灯。
【発明の詳細な説明】
【技術分野】
【０００１】
本発明は、空港における滑走路や誘導路に埋め込まれて通行区分等を表示する埋込型標識灯に関する。
【背景技術】
【０００２】
埋込型標識灯は空港の滑走路や誘導路に基台を形成し、その基台に灯器を装着して使用される。基台は地中に位置するように形成される。通常、基台と灯器との間には調整リングが設けられ、調整リングで灯器の設置の方向を調整するようにしている（例えば、非特許文献１参照）。埋込深さに制限がある場合には、基台に直接的に灯器が設置される場合もある。
【０００３】
このような埋込型標識灯では、地表面には基台に設けられた調整リングや灯器の上面が露出し、複数個の埋込型標識灯の群列を空港の滑走路や誘導路に設置し、所定の明るさで点灯して、航空機の離発着および走行に視覚ガイダンスを与える。灯器の発光部にはハロゲン電球やＬＥＤが用いられプリズムを介して地表面を照射するようにしている。
【０００４】
埋込型標識灯の滑走路や誘導路への設置は、まず、基台の径より大きい径を持つボーリング孔を滑走路や誘導路にあけ、路盤とエポキシ樹脂などの固着材を使用して基台を孔内に設置する。そして、灯器はその表面（上面）が露出するように空港の滑走路や誘導路に設置され、灯器の発光部を所定の明るさで点灯して、航空機の離発着および走行に視覚ガイダンスを与える。
【０００５】
これらの灯器は、航空機の安全運行のため日夜メンテナンスが行われ、不点や光度低下さらにはその他の不具合が発生した場合に備え、灯器のみの交換で対応ができる構造となっている。また、基台の上部に調整リングが搭載された埋込型標識灯の場合には、調整リングにて灯器の方向性を確実に調整した後に、調整リングは路盤に固着される。基台と灯器のみで構成された埋込型標識灯の場合には基台の方向性を調整した後に路盤に固着されることとなる。
【非特許文献１】視覚ガイダンスシステム第６版、発行元：財団法人航空振興財団、平成１１年９月３０日、Ｐ２６２〜Ｐ３０９
【発明の開示】
【発明が解決しようとする課題】
【０００６】
このように、灯器の方向性を調整した後は調整リングや基台は路盤に固着されることから、その調整後においては、調整リングや基台は路盤から容易に取り外すことはできない。従って、調整ミスへの対応ができないことになる。
【０００７】
一方、基台の内部に調整リングを取り付け、灯器の方向性を調整した後においても調整リングを取り外せる構造とすることも考えられるが、そうした場合には基台の大きさが大きくなる。灯器外径及び灯器が基台に収納される部分の径が定められた状態であるので、その径を保持しつつ基台外径を灯器外径に近づけるように構成した場合には、スペースの問題から現状より小さい締結ネジサイズで灯器と基台とを取り付けざるを得ない状況となる。よって、万一の場合には、この調整リングごと灯器が基台より外れるおそれがある。
【０００８】
本発明の目的は、灯器の方向性の調整後においても灯器の方向性の調整が容易に行えしかも灯器を適切に固定できる埋込型標識灯を提供することである。
【課題を解決するための手段】
【０００９】
請求項１の発明に係わる埋込型標識灯は、地中に埋め込まれて設置される灯器と；前記灯器の埋設部を収納する空間及び前記灯器を搭載できるフランジ部を有した基台と；前記基台のフランジ部の下部に取り付けられ前記灯器の水平角度を調整するための可動部材と；前記可動部材を前記基台のフランジ部及び前記灯器と共締めする締結部材と；を具備していることを特徴とする。
【００１０】
本発明及び以下の発明において、特に指定しない限り用語の定義及び技術的意味は以下による。
【００１１】
埋込標識灯は、例えば高強度アルミニウム合金鋳物で成形した灯器を有し、路中に埋設された基台のフランジ部で灯器全体を支持し装着される。基台は有底円筒状に形成され、灯器の埋設部を収納する空間を有し、その内面には灯器が載置されるフランジ部が形成されている。可動部材は、灯器の水平角度を調整する部材であり、基台のフランジ部の下部に取り付けられる。そして、可動部材は基台のフランジ部及び灯器と締結部材で共締めされて固定される。締結部材としては、スタッドボルトとナットでもよいし、通常のボルトとナットでもよいが、可動部材に少なくとも１つ以上のスタッドボルトを設けることが望ましい。
【００１２】
本発明によれば、灯器の水平角度を調整する可動部材は、基台のフランジ部の下部に、基台のフランジ部及び灯器と共締めされるので、灯器及び可動部材の固着は強固に保持できるとともに、灯器の取り外しとともに取り外すことができる。従って、灯器の方向性の調整ミスが発生した場合であっても、後処理で対応が可能となる。
【００１３】
請求項２の発明に係わる埋込型標識灯は、請求項１の発明において、前記可動部材は、前記基台のフランジ部とほぼ同じ大きさの円環を分割した円弧状部材、または前記基台のフランジ部の円周に多角形状に当接し橋絡する棒状部材であることを特徴とする。
【００１４】
円弧状部材部材は、フランジ部の下部の全域に配置されてもよいし、その一領域に配置するようにしてもよい。また、円弧状部材に代えて直線上の棒状部材をフランジ部の円周に沿って多角形状に配置してもよい。可動部材を棒状部材にした場合にはフランジ部の下部と当接する部分は一部の領域となるが可動部材の製作が容易となる。
【００１５】
本発明によれば、調整部材である可動部材は分割されて形成されているので、調整部材である可動部材を灯器の埋設部を収納する基台の空間に出し入れできる。従って、可動部材の取り付けや後処理での対応が容易に行える。
【００１６】
請求項３の発明に係わる埋込型標識灯は、請求項１の発明において、前記可動部材は、前記基台のフランジ部とほぼ同じ大きさの円環状に弾力性を有する部材で形成され前記円環状の一部に前記基台のフランジ部の厚さより大きい段差の切込部を有したことを特徴とする。
【００１７】
可動部材は、例えば、ばね座金でスプリングワッシャーのように１周の螺旋状に形成され、切込部にフランジ部の厚より大きい段差を有する。そして、可動部材の段差をフランジ部を挟むように配置して、フランジ部をガイドにして下方に押圧しながら徐々に回動させて基台内に挿入する。
【００１８】
本発明によれば、調整部材である可動部材を分割することなく灯器の埋設部を収納する基台の空間への出し入れが容易に行える。従って、可動部材の取り付けや後処理での対応が容易に行える。
【発明の効果】
【００１９】
請求項１の発明によれば、灯器の水平角度を調整する可動部材は、基台のフランジ部の下部に、基台のフランジ部及び灯器と共締めされるので、灯器及び可動部材の固着は強固に保持できるとともに、灯器の取り外しとともに取り外すことができる。従って、灯器の方向性の調整ミスが発生した場合であっても、後処理で対応が可能となる。
【００２０】
請求項２の発明によれば、調整部材である可動部材は分割されて形成されているので、灯器の埋設部を収納する基台の空間への出し入れが容易に行える。
【００２１】
請求項３の発明によれば、調整部材である可動部材を分割することなく灯器の埋設部を収納する基台の空間への出し入れが容易に行える。
【発明を実施するための最良の形態】
【００２２】
図１は本発明の実施の形態に係わる埋込型標識灯の断面図である。埋込型標識灯１１は、路面Ｇに埋設される有底円筒状の基台１２と、この基台１２の円筒状内部に収納固定される略円盤状の灯器１３とからなり、灯器１３は、上部灯器１３ａと下部灯器１３ｂに分割され、この上部灯器１３ａの上面の一部に取付凹部１４が設けられ、上部灯器１３ａと下部灯器１３ｂとはそれぞれの外周部のフランジ部で連結されている。
【００２３】
一方、基台１２の内面には、灯器１３が載置されるフランジ部１５が形成されている。このフランジ部１５の下部には灯器１３の水平角度を調整するための可動部材１６が配置され、可動部材１６に設けられた締結部材１７により、基台１２のフランジ部１５及び灯器１３と共締めするように構成されている。
【００２４】
すなわち、フランジ部１５及び灯器１３には締結部材１７が挿入される貫通穴が形成され、フランジ部１５及び灯器１３（上部灯器１３ａと下部灯器１３ｂ）を貫通して締結部材１７が上部灯器１３ａの取付凹部１４に貫通して、取付凹部１４でナットで締め付けられるようになっている。なお、基台１２と下部灯器１３ｂとの間、上部灯器１３ａと下部灯器１３ｂとの間にはＯリング１８を介在させて水密的に固定される。また、締結部材１７としては、スタッドボルトとナットでもよいし、通常のボルトとナットでもよいが、可動部材に少なくとも１つ以上のスタッドボルトを設けることが望ましい。
【００２５】
上部灯器１３ａの上面は平坦部と傾斜面とを有し、傾斜面の外周縁は路面Ｇに埋設される基台１２の先端部分と同一平面寸法となるように形成されている。つまり、上部灯器１３ａの平坦部は、路面Ｇから傾斜面の傾斜角度分突出されるように配置されるが、傾斜面によって上部灯器１３ａの車輪等での踏み付け走行が可能となっている。
【００２６】
さらに、上部灯器１３ａの内面から外面に対して、所定の高さと幅寸法とで傾斜し、光学レンズ系が配置される光導出用の開口溝１９が形成されている。この開口溝１９は光源部２０が配置される内部空間２１に連通されている。開口溝１９には、プリズム２２が挿入配置されて水密的に固定されているとともに、このプリズム２２の光入射面には、色彩フィルタ２３が配置固定されている。内部空間２１には、標識光を発光する発光部とこの発光部の後方に配置されて発光された標識光を反射するリフレクタからなる光源部２０が取り付け配置されている。
【００２７】
光源部２０には図示省略の点灯電力供給源からの点灯電力が供給され、光源部２０の発光部が発光し、発光部からの標識光はリフレクタで反射され、色彩フィルタ２３で所定の色彩光に変換され開口溝１９から投射される。
【００２８】
図２は基台１２の平面図、図３は可動部材１６の平面図である。図２に示すように、基台１２のフランジ部１５には可動部材１６の締結部材１７を貫通するための貫通穴２４が設けられ、また、可動部材１６をフランジ部１５に固定するための取付ネジを貫通させるための取付穴２５が設けられている。
【００２９】
また、図３に示すように、可動部材１６は基台１２のフランジ部１５とほぼ同じ大きさの円環を分割した円弧状部材で形成されている。可動部材１６には、締結部材１７の取付部２９が設けられ、例えばスタッドボルトが取付部２９に設けられる。スタッドボルトでない場合には取付部２０はボルトの貫通穴となる。また、ネジ穴２６は基台１２に可動部材１６を固定するための取付ネジが挿入されるネジ穴である。図３では、可動部材１６はフランジ部１５の下部の一領域に配置されるように２個の円弧状部材である場合を示しているが、フランジ部１５の下部の全域に配置するようにしてもよい。
【００３０】
図４は基台１２のフランジ１５の下部に可動部材１６を取り付ける工程の説明図である。図４（ａ）は基台１２の断面図であり、基台１２は有底円筒状に形成され、円筒状の内部にフランジ部１５を有している。フランジ部１５には、可動部材１６の締結部材１７を貫通するための貫通穴２４、及び可動部材１６をフランジ部１５に固定するための取付ネジを貫通させるための取付穴２５が設けられている。
【００３１】
基台１２のフランジ部１５の上部は開口しているので、図４（ｂ）に示すようにその開口部から可動部材１６を基台１２内に挿入する。可動部材１６は円環状部材を分割した円弧状部材であるので基台１２内に挿入できる。そして、図４（ｃ）に示すように、取付部材１７を貫通穴１４に挿入し、取付ネジ２７で可動部材１６を基台１２のフランジ部１５の下部に固定する。この可動部材１６の固定の際に灯器１３の水平角度を調整することになる。次に、締結部材１７の上部先端部に図示省略の灯器１３を貫通させナットで締結する。これにより、可動部材１６を基台１２のフランジ部１５及び灯器１３と共締めする。
【００３２】
以上の説明では、可動部材１６を円弧状部材で形成したが、基台１２のフランジ部１２の円周に多角形状に当接し橋絡する棒状部材で形成するようにしてもよい。すなわち、円弧状部材に代えて直線上の棒状部材をフランジ部１５の円周に沿って多角形状に配置する。その場合にはフランジ部１５の下部と棒状部材とが当接する部分は一部の領域となるが可動部材の製作が容易となる。
【００３３】
さらに、可動部材１６を、図５に示すように形成してもよい。図５は、可動部材１６の他の一例を示す斜視図である。図５に示す可動部材１６は、基台１２のフランジ部１５とほぼ同じ大きさの円環状に形成されている。また、可動部材１６は弾力性を有する部材で形成され、円環状の一部には段差のある切込部２８を有し１周の螺旋状に形成されている。
【００３４】
図６は基台１２の一部切欠断面斜視図、図７は可動部材１６の一部切欠斜視図である。図６に示すように、基台１のフランジ部１５には厚さＡがあるので、図７に示すように、可動部材１５の切り込み部２８の段差Ｂは、基台１２のフランジ部１５の厚さＡより大きい段差とする。そして、可動部材１６を基台１２内に挿入する際には、可動部材１７の切込部２８を基台１２のフランジ部１５を挟むように配置し、フランジ部１５をガイドにして下方に押圧しながら徐々に回動させて基台１２内に挿入する。これにより基台１２内に可動部材１６を挿入することができる。そして、可動部材１６は弾性力を有する部材で構成されているので、取付ネジ２７や締結部材１７にて可動部材１６を取り付けた際には段差Ｂはなくなる。
【００３５】
本発明の実施の形態によれば、灯器１３の方向性の調整ミスが発生した場合であっても、後処理で対応が可能となる。また、調整部材である可動部材１６は、基台１２のフランジ部１５及び灯器１３と共締めされるので、灯器１３及び可動部材１６の固着は強固に保持できる。
【図面の簡単な説明】
【００３６】
【図１】本発明の実施の形態に係わる埋込型標識灯の断面図。
【図２】本発明の実施の形態における基台の平面図。
【図３】本発明の実施の形態における可動部材の平面図。
【図４】本発明の実施の形態における基台のフランジの下部に可動部材を取り付ける工程の説明図。
【図５】本発明の実施の形態における可動部材の他の一例を示す斜視図。
【図６】本発明の実施の形態における基台の一部切欠断面斜視図。
【図７】本発明の実施の形態における他の一例による可動部材の一部切欠斜視図。
【符号の説明】
【００３７】
１１…埋込型標識灯、１２…基台、１３…灯器、１３ａ…上部灯器、１３ｂ…下部灯器、１４…取付凹部、１５…フランジ部、１６…可動部材、１７…締結部材、１８…Ｏリング、１９…開口溝、２０…光源部、２１…内部空間、２２…プリズム、２３…色彩フィルタ、２４…貫通穴、２５…取付穴、２６…ネジ穴、２７…取付ネジ、２８…切込部、２９…取付部
【図１】
2005256551.tif 000003
【図２】
2005256551.tif 000004
【図３】
2005256551.tif 000005
【図４】
2005256551.tif 000006
【図５】
2005256551.tif 000007
【図６】
2005256551.tif 000008
【図７】
2005256551.tif 000009